(57)【要約】【課題】廃棄処分に際して素材の分別が不要な蚊取線香用燃焼器を提案する。【解決手段】金属製受け皿３の底板部側に蚊取線香支持部材９を装着した蚊取線香用燃焼器であって、前記蚊取線香支持部材９が金属板の成形品から成るもので、周辺に被係止部１２、例えば周方向複数の舌片１３を備え、前記受け皿３の周壁５には、前記被係止部１２と係合して前記蚊取線香支持部材９を受け皿３内に保持する係止部１８、例えば周方向に連続し且つ内側に突出する環状凸部１９が形成された構成。【選択図】図１
2006075062.tif 000002
【特許請求の範囲】
【請求項１】
金属製受け皿の底板部側に蚊取線香支持部材を装着した蚊取線香用燃焼器であって、前記蚊取線香支持部材が金属板の成形品から成るもので、周辺に被係止部を備え、前記受け皿の周壁には、前記被係止部と係合して前記蚊取線香支持部材を受け皿内に保持する係止部が形成されている、蚊取線香用燃焼器。
【請求項２】
前記蚊取線香支持部材側の被係止部は、当該蚊取線香支持部材の周辺から外側に突出する周方向複数の舌片で構成され、前記受け皿側の係止部は、当該受け皿の周壁にその全周にわたって連続し且つ内側に突出するように形成された環状凸部によって構成され、当該環状凸部より下側に前記各舌片が入り込むように当該各舌片の弾性に抗して前記蚊取線香支持部材が前記受け皿内に嵌め込まれている、請求項１に記載の蚊取線香用燃焼器。
【請求項３】
前記蚊取線香支持部材は、その周辺から立ち下がる周壁部を備え、前記被係止部を構成する各舌片が、前記周壁部の下辺からの切り起こしによって形成されている、請求項２に記載の蚊取線香用燃焼器。
【請求項４】
前記被係止部を構成する舌片が、前記蚊取線香支持部材の表面よりも斜め外側上方に突出する、請求項２または３に記載の蚊取線香用燃焼器。
【請求項５】
前記被係止部を構成する各舌片が、前記蚊取線香支持部材の周辺の周方向複数箇所から一体に折曲連設されたＶ字形脚部の外側の上向き部分で構成されている、請求項２に記載の蚊取線香用燃焼器。
【発明の詳細な説明】
【技術分野】
【０００１】
本発明は、蚊取線香用燃焼器に関するものである。
【背景技術】
【０００２】
蚊取線香用燃焼器として、例えば特許文献１に示されるように、蚊取線香の容器の蓋を裏返して使用するようにした金属製受け皿の受け面側にガラス繊維製マットから成る蚊取線香支持部材を装着した蚊取線香用燃焼器が知られている。
【特許文献１】特開平０８−１８２４５４号公報
【発明の開示】
【発明が解決しようとする課題】
【０００３】
上記のような従来の蚊取線香用燃焼器の構成では、その受け皿を蚊取線香の容器の蓋として使用するときなどにガラス繊維製マットが当該受け皿から容易に脱落しないように、接着剤で受け皿の受け面側にガラス繊維製マットを貼付しておくのが一般的である。このような構成の蚊取線香用燃焼器を分別廃棄処分する際には、金属製品である受け皿と不燃物であるガラス繊維製マット（蚊取線香支持部材）とを分ける必要があるが、この受け皿からガラス繊維製マットを両者の接着面で剥離するのに多大の手間と時間を要することになる。そこで、ガラス繊維製マットの直径を大きくして、その周辺部が受け皿の周壁内側に引っ掛かるように弾性に抗してラス繊維製マットを受け皿の内側に圧入する方法も考えられたが、蚊取線香支持部材に要するコストが高くつくだけでなく、ガラス繊維製マットの周辺部が受け皿の周壁内側に引っ掛かっていることと、ガラス繊維製マットには蚊取線香の燃焼時に発生する油分（ヤニ）が浸透し、受け皿の受け面との間にも侵入して凝固していることとによって、やはり受け皿からのガラス繊維製マット（蚊取線香支持部材）の分離は容易でない。
【課題を解決するための手段】
【０００４】
本発明は上記のような従来の問題点を解消し得る蚊取線香用燃焼器を提供することを目的とするものであって、その手段を後述する実施形態の参照符号を付して示すと、金属製受け皿３の底板部側に蚊取線香支持部材９を装着した蚊取線香用燃焼器であって、前記蚊取線香支持部材９が金属板の成形品から成るもので、周辺に被係止部１２を備え、前記受け皿３の周壁５には、前記被係止部１２と係合して前記蚊取線香支持部材９を受け皿３内に保持する係止部１８が形成された構成となっている。
【０００５】
上記構成の本発明を実施するについて、具体的には請求項２に記載のように、前記蚊取線香支持部材９側の被係止部１２は、当該蚊取線香支持部材９の周辺から外側に突出する周方向複数の舌片１３で構成し、前記受け皿３側の係止部１８は、当該受け皿３の周壁５にその全周にわたって連続し且つ内側に突出するように形成された環状凸部１９によって構成し、当該環状凸部１９より下側に前記各舌片１３が入り込むように当該各舌片１３の弾性に抗して前記蚊取線香支持部材９を前記受け皿３内に嵌め込んで組み合わせることができる。
【０００６】
また、請求項３に記載のように、前記蚊取線香支持部材９は、その周辺から立ち下がる周壁部１１を備えたものとし、前記被係止部１２を構成する各舌片１３は、前記周壁部１１の下辺からの切り起こしによって形成することができる。
【０００７】
また、請求項４に記載のように、前記被係止部１２を構成する舌片１３は、前記蚊取線香支持部材９の表面よりも斜め外側上方に突出させることができる。
【０００８】
更に、請求項５に記載のように、前記被係止部１２を構成する各舌片１３は、前記蚊取線香支持部材９の周辺の周方向複数箇所から一体に折曲連設されたＶ字形脚部２１の外側の上向き部分で構成することができる。
【発明の効果】
【０００９】
上記構成の本発明に係る蚊取線香用燃焼器によれば、受け皿と蚊取線香支持部材との両方が何れも金属製であるため、分別廃棄処分する際に従来のように受け皿と蚊取線香支持部材とを分ける必要がなくなり、両者を一体に廃棄処分することができる。即ち、廃棄処分に際して従来のような素材ごとの分別が不要になる。しかも金属板の成形品である蚊取線香支持部材は、その周辺の被係止部と受け皿周壁の係止部との係合により受け皿内に保持されており、仮に当該受け皿を蚊取線香の容器の蓋として使用する構成を採用する場合でも、受け皿の裏返し時に蚊取線香支持部材が脱落することは無く、取り扱い面では、従来の受け皿に接着されたガラス繊維製マットから成る蚊取線香支持部材を備えたものと同様に取り扱うことができる。
【００１０】
尚、受け皿の周壁には、燃焼器として使用する際に被せられるカバーの支持用段面や容器の蓋として使用する際の係止用環状凹溝部、或いは開口周縁の手触りを良くするためのカーリングなどが周方向に連続するように形成されるのが一般的である。従って、受け皿の製造面では、請求項２に記載の構成によれば、受け皿周壁側に必要な係止部を周方向に連続する環状凸部で構成するのであるから、周方向に連続する前記カバー支持用段面、蓋係止用環状凹溝部、カーリングなどの形成時に前記係止部を同時に形成することができ、前記係止部の形成に別工程を要する場合と比較して、コストを下げることができる。また、受け皿に対する前記蚊取線香支持部材の組み込み作業も、受け皿周壁側の環状凸部より下側に蚊取線香支持部材側の各舌片が入り込むように当該各舌片の弾性に抗して蚊取線香支持部材を受け皿内に強く押し込むように嵌め込むだけで良いので、容易且つ能率的に行える。
【００１１】
また、請求項３に記載の構成によれば、蚊取線香支持部材をその周辺から立ち下がる周壁部によって受け皿の受け面から浮き上がらせることができるので、当該蚊取線香支持部材で支持されて燃焼する蚊取線香の燃焼熱を受け皿に伝わるのを最小限に抑えることができ、安全に使用できるのであるが、このような効果と板状の蚊取線香支持部材の強度アップを図ることができる周壁部の下辺からの切り起こしによって被係止部である舌片を形成することができるので、被係止部を形成するために材料を増大させる必要がなく、コストを最小限に抑えることができる。
【００１２】
また、請求項４に記載の構成によれば、蚊取線香支持部材を受け皿内に押し込んだときの被係止部（舌片）と受け皿側の環状凸部（係止部）との係合作用が、容易且つ確実に行われると共に、蚊取線香支持部材側の被係止部（舌片）が受け皿側の環状凸部（係止部）より下側に入り込んだ状態での蚊取線香支持部材の上下遊動を実質的に無くすように構成することが容易である。
【００１３】
更に、請求項５に記載の構成によれば、蚊取線香支持部材の全周に周壁部を形成する場合よりも使用材料を大幅に削減することができ、しかも、請求項４に記載の構成を採用した場合と同様の作用効果も期待することができる。
【発明を実施するための最良の形態】
【００１４】
以下に本発明の具体的実施例を添付図に基づいて説明すると、図１において、１は渦巻き形蚊取線香を収納する有底円筒形の金属製容器であって、その開口周縁には外巻きのカーリング２が形成されている。３は前記容器１の蓋を兼ねる金属製で円形の蚊取線香燃焼用受け皿であって、その円形底板部４の周辺から立ち上がる周壁５には、容器１の開口部内側に内嵌し得る小径周壁部６と、容器１の開口部端に外嵌し得る大径周壁部７とを備え、両周壁部６，７間の段部８が容器１の開口部周縁のカーリング２上に載置できるものである。
【００１５】
９は蚊取線香支持部材であって、前記受け皿３の小径周壁部６内に嵌め込んで円形底板部４上に載置させることができる金属板の成形品から成り、切り起こしによって表面から斜めに立ち上がり且つ半径方向に長い蚊取線香支持片１０が放射状に複数本一体形成されると共に、その周辺から立ち下がる周壁部１１が一体成形されている。尚、各蚊取線香支持片１０の上辺は山形凹凸状に形成されて、支持する蚊取線香との接触面が少なくなるように構成されている。この蚊取線香支持部材９には、この蚊取線香支持部材９を受け皿３内に保持させるための被係止部１２が設けられている。この実施形態での被係止部１２は、周壁部１１の下辺から２本の切込みを入れると共に両切込み間の部分を上方にほぼ９０度折曲して形成された、この蚊取線香支持部材９の表面とほぼ面一で横向きに突出する、周方向複数（図示例では等間隔おきの３箇所）の舌片１３で構成されている。
【００１６】
１４は金属製の成形品から成るカバーであって、受け皿３の大径周壁部７内に嵌合して周壁部６，７間の段部８上で支持される周壁部１５と、燃焼煙拡散用開口１６を有する天板部１７とを備えている。燃焼煙拡散用開口１６は、各種のデザインのものが知られており、図示のものはその一例である。
【００１７】
受け皿３には、その内側に係止部１８が設けられている。この係止部１８は、図２及び図４に示すように、受け皿３の小径周壁部６の中間高さに、内側に突出する断面山形の凸部を全周にわたって連続するように形成した環状凸部１９によって構成されている。この環状凸部１９の突出高さは、蚊取線香支持部材９の周辺の被係止部１２を構成する３つの各舌片１３の先端を通る仮想円の直径よりも大きいが蚊取線香支持部材９の周壁部１１の外径よりは小さい仮想円上に環状凸部１９の頂部が位置する高さに設定されている。
【００１８】
図２〜図４に示すように、蚊取線香支持部材９は予め受け皿３内に組み込まれて商品となる。この蚊取線香支持部材９の組み込みは、当該蚊取線香支持部材９を受け皿３の小径周壁部６内に強く押し込んで、その被係止部１２を受け皿３側の係止部１８に係合させることで行われる。即ち、蚊取線香支持部材９を受け皿３の小径周壁部６内に嵌め込んだとき、その周辺の被係止部１２を構成する３つの各舌片１３の先端部が受け皿３の小径周壁部６に形成された環状凸部１９によって受け止められることになるので、係る状態で蚊取線香支持部材９の各舌片１３のある周辺部を強く押し込むと、各舌片１３はその弾性に抗して上方に曲げられながら環状凸部１９を上から下に通過することができる。而して、受け皿３の底板部４からの環状凸部１９の高さは、図４に示すように、上記のように弾性変形を伴わせて環状凸部１９の下側に入り込ませた舌片１３がほぼ元の姿勢に弾性復帰した状態で蚊取線香支持部材９の周壁部１１が受け皿３の底板部４上に支持されるように設定されている。
【００１９】
上記のようにして受け皿３内に組み込まれた蚊取線香支持部材９は、受け皿３に対して回転しても、或いは受け皿３を上下逆さにしても、受け皿３内から脱落することは、被係止部１２と係止部１８とに係合により確実に防止され、蚊取線香支持部材９が受け皿３と一体化される。蚊取線香を燃焼させるときは、図４に示すように、受け皿３をその底板部４が下になる向き（蓋として使用する向きから裏返した状態）で容器１の開口端に小径周壁部６を嵌合させ、大径周壁部７との間の段部８を容器１の開口部周縁のカーリング２上に載置させる。そして点火した蚊取線香を受け皿３内の蚊取線香支持部材９の上（蚊取線香支持片１０の上）に載置し、カバー１４を受け皿３に被せる。このときカバー１４は、その周壁部１５が受け皿３の大径周壁部７内に嵌合して周壁部６，７間の段部８上で支持される。
【００２０】
蚊取線香用燃焼器として受け皿３を使用しないときは、図５に示すように、カバー１４を上下裏返しの状態で容器１の開口部に内嵌させる。このとき当該カバー１４の周壁部１５の開口端に外巻きに形成されているカーリング１５ａが容器１の開口端のカーリング２上に重なって支持され、カバー１４が容器１内に落ち込むことはない。勿論、カバー１４側のカーリング１５ａの外径は容器１側のカーリング２の外径よりも若干小さく、カバー１４側のカーリング１５ａが容器１の開口端から外側に張り出すことはない。
【００２１】
次に受け皿３を底板部４が上になる蓋としての使用向きで、その大径周壁部７を容器１の開口部に被せる。このとき受け皿３の周壁部６，７間の段部８がカバー１４側のカーリング１５ａの上に載置されるが、丁度このときに容器１側のカーリング２の下側に入り込んで受け皿３（蓋）の外れ止めとなる、内側に全周にわたって連続して突出する環状凸部２０が受け皿３の大径周壁部７に形成されている。従って、受け皿３は容器１の開口端を蓋する状態で自動的に係止され、自然に外れることはない。容器１を開けるときは、受け皿３を容器１から強く引き離すように開蓋力を作用させれば良い。
【００２２】
尚、蚊取線香支持部材９側の被係止部１２を構成する舌片１３は、図６に示すように蚊取線香支持部材９の表面より上方へ斜め外向きに突出させることもできる。この構成の蚊取線香支持部材９を使用するときは、受け皿３の小径周壁部６に形成される係止部１８としての環状凸部１９の位置を若干高くすることになるが、蚊取線香支持部材９を受け皿３内に組み込むとき、各舌片１３が環状突起１９の頂部で容易に内側へ弾性変形することができ、そして各舌片１３が環状突起１９の頂部を下側に超えて、外側に弾性復帰した各舌片１３の先端が環状突起１９の下側斜面に当接している状態で蚊取線香支持部材９の周壁部１１が受け皿３の底板部４上に載置されるように構成すれば、蚊取線香支持部材９を上下方向にがたのない状態に安定的に保持させることができる。
【００２３】
また、図７に示すように、蚊取線香支持部材９に周壁部１１を連設しないで、その周辺の複数箇所から一体に延出させた各突出片を蚊取線香支持部材９から下方に突出するＶ字形に折曲してＶ字形脚部２１を構成し、この各Ｖ字形脚部２１の下端２１ａで当該蚊取線香支持部材９を受け皿３の底板部４上に浮かして支持させると共に、各Ｖ字形脚部２１の外側上向き部分で、被係止部１２となる舌片１３を構成することもできる。
【００２４】
本発明における蚊取線香支持部材９側の被係止部と受け皿３側の係止部の構成は、上記実施形態のものに限定されない。例えば、蚊取線香支持部材９を受け皿３内に嵌め込んだ状態で蚊取線香支持部材９を受け皿３に対して回転させることにより、受け皿３内から蚊取線香支持部材９を真上に引き上げることができなくなる構造の被係止部と係止部、即ち、両者がねじ嵌合する構造や、一方の突起が他方の周方向に長い突条の内側に入り込む構造のものなどであっても良い。
【図面の簡単な説明】
【００２５】
【図１】蚊取線香用燃焼器として使用する状態での分解斜視図である。
【図２】受け皿の平面図である。
【図３】図２のＸ−Ｘ線断面図である。
【図４】蚊取線香用燃焼器として使用する状態での要部の縦断正面図である。
【図５】受け皿を容器の蓋として使用する状態での要部の縦断正面図である。
【図６】被係止部の変形例を示す要部の縦断正面図である。
【図７】更に別の実施形態を示す要部の斜視図である。
【符号の説明】
【００２６】
１    蚊取線香収納容器
２，１５ａ    カーリング
３    蚊取線香燃焼用受け皿
４    受け皿底板部
５    受け皿周壁
６    小径周壁部
７    大径周壁部
８    段部
９    蚊取線香支持部材
１０    蚊取線香支持片
１１    蚊取線香支持部材の周壁部
１２    蚊取線香支持部材の被係止部
１３    舌片
１４    カバー
１５    カバー周壁部
１６    燃焼煙拡散用開口
１７    カバー天板部
１８    受け皿の係止部
１９    環状凸部（係止部）
２１    Ｖ字形脚部
【図１】
2006075062.tif 000003
【図２】
2006075062.tif 000004
【図３】
2006075062.tif 000005
【図４】
2006075062.tif 000006
【図５】
2006075062.tif 000007
【図６】
2006075062.tif 000008
【図７】
2006075062.tif 000009